(57)【要約】【課題】複数の対物レンズを共通のホルダに搭載した光ヘッドでは、ディスク外周側に配置した対物レンズで光ディスクの最内周位置の情報の読み出し等を行うことが難しく、また、部品精度のばらつきによっては、ホルダが内周側に移動した際に、ホルダ又は対物レンズがターンテーブルに衝突する可能性があった。【解決手段】光ディスク装置は、光ディスク上に光束を集光する複数の対物レンズと、対物レンズを保持するホルダと、ホルダを、光ディスクの略半径方向であるトラッキング方向及び光ディスクの面に略垂直なフォーカシング方向に駆動する駆動手段とを有する光ヘッドを備える。ホルダにおいて、ターンテーブルの外周端面と対向する位置に、対物レンズの外周端面よりターンテーブル側に突出した緩衝手段が配置されている。【選択図】図２
2008243251.tif 000002
【特許請求の範囲】
【請求項１】
光ディスク上に光束を集光する複数の対物レンズと、
前記対物レンズを保持するホルダと、
前記ホルダを、前記光ディスクの略半径方向であるトラッキング方向、及び、前記光ディスクの面に略垂直なフォーカシング方向に駆動する駆動手段と
を有する光ヘッドと、
前記光ディスクを保持して回転させるターンテーブルと
を備え、
前記ホルダにおいて、前記ターンテーブルの外周端面と対向する位置に、前記対物レンズの外周端面より前記ターンテーブル側に突出した緩衝手段を配置したこと
を特徴とする光ディスク装置。
【請求項２】
前記光ヘッドが、前記光ディスクの記録領域の最内周位置にある状態で、前記ホルダが前記トラッキング方向において前記光ディスクの内周方向に移動した場合に、前記緩衝手段が前記ターンテーブルの外周端面に接触することを特徴とする請求項１に記載の光ディスク装置。
【請求項３】
前記複数の対物レンズのうち、前記ターンテーブルに最も近い位置にある第１の対物レンズの光軸中心が、前記ホルダの前記トラッキング方向の移動に伴って前記光ディスクの半径方向に移動し、
前記緩衝手段が、前記第１の対物レンズと前記ターンテーブルの中心とを結ぶ直線からずれた位置に配置されていることを特徴とする請求項１又は２に記載の光ディスク装置。
【請求項４】
前記緩衝手段が、前記複数の対物レンズの前記光ディスク側の面よりも、さらに前記光ディスク側に突出していることを特徴とする請求項１から３までの何れか１項に記載の光ディスク装置。
【請求項５】
前記緩衝手段が、前記ホルダと一体に形成されていることを特徴とする請求項１から４までの何れかに記載の光ディスク装置。
【請求項６】
前記緩衝手段が、シリコンゴム系の樹脂で形成されており、なお且つ、前記ホルダの前記ターンテーブルに対向する面に形成された溝部に配置されていることを特徴とする請求項１から４までの何れか１項に記載の光ディスク装置。
【請求項７】
前記緩衝手段が、前記対物レンズの主点付近を中心とする球面を有しており、前記緩衝手段を介して前記対物レンズが前記ホルダに取り付けられていることを特徴とする請求項１から４までの何れか１項に記載の光ディスク装置。
【請求項８】
ターンテーブルに保持された光ディスクに対し、情報の記録又は再生を行うための光ヘッドであって、
前記光ディスク上に光束を集光する複数の対物レンズと、
前記対物レンズを保持するホルダと、
前記ホルダを、前記光ディスクの略半径方向であるトラッキング方向、及び、前記光ディスクの面に略垂直なフォーカシング方向に駆動する駆動手段と
を備え、
前記ホルダにおいて、前記ターンテーブルの外周端面と対向する位置に、前記対物レンズの外周端面より前記ターンテーブル側に突出した緩衝手段を配置したこと
を特徴とする光ヘッド。
【請求項９】
前記光ヘッドが、前記光ディスクの記録領域の最内周位置にある状態で、前記ホルダが前記トラッキング方向において前記光ディスクの内周方向に移動した場合に、前記緩衝手段が前記ターンテーブルの外周端面に接触することを特徴とする請求項８に記載の光ヘッド。
【請求項１０】
前記複数の対物レンズのうち、前記ターンテーブルに最も近い位置にある第１の対物レンズの光軸中心が、前記ホルダの前記トラッキング方向の移動に伴って前記光ディスクの半径方向に移動し、
前記緩衝手段が、前記第１の対物レンズと前記ターンテーブルの中心とを結ぶ直線からずれた位置に配置されていることを特徴とする請求項８又は９に記載の光ヘッド。
【請求項１１】
前記緩衝手段が、前記複数の対物レンズの前記光ディスク側の面よりも、さらに前記光ディスク側に突出していることを特徴とする請求項８から１０までの何れか１項に記載の光ヘッド。
【請求項１２】
前記緩衝手段が、前記ホルダと一体に形成されていることを特徴とする請求項８から１１までの何れかに記載の光ヘッド。
【請求項１３】
前記緩衝手段が、シリコンゴム系の樹脂で形成されており、なお且つ、前記ホルダの前記ターンテーブルに対向する面に形成された溝部に配置されていることを特徴とする請求項８から１１までの何れか１項に記載の光ヘッド。
【請求項１４】
前記緩衝手段が、前記対物レンズの主点付近を中心とする球面を有しており、前記緩衝手段を介して前記対物レンズが前記ホルダに取り付けられていることを特徴とする請求項８から１１までの何れか１項に記載の光ヘッド。
【発明の詳細な説明】
【技術分野】
【０００１】
本発明は、ＤＶＤレコーダ、ＢＤプレーヤ等、情報記録媒体に対して情報の記録又は再生を行う光ディスク装置、及び、光ディスク装置で用いられる光ヘッドに関する。
【背景技術】
【０００２】
近年、情報記録媒体として、記録密度やカバー層の厚み等の異なる種々の光ディスクが開発されている。例えば、使用波長が７８０ｎｍ付近であるＣＤ（Ｃｏｍｐａｃｔ  Ｄｉｓｃ）、使用波長が６６０ｎｍ付近であるＤＶＤ（Ｄｉｇｉｔａｌ  Ｖｅｒｓａｔｉｌｅ  Ｄｉｓｃ）、使用波長が４０５ｎｍ付近であるＢＤ（Ｂｌｕ−Ｒａｙ  Ｄｉｓｃ）及びＨＤ−ＤＶＤ（Ｈｉｇｈ  Ｄｅｆｉｎｉｔｉｏｎ  ＤＶＤ）等が開発されている。このように使用波長が異なる複数の種類の光ディスクに対応可能な光ディスク装置として、それぞれの光ディスクに適した集光スポットを形成するための複数の対物レンズを備えた光ディスク装置が提案されている（例えば、特許文献１参照）。
【０００３】
【特許文献１】特開２００３−２８１７５８号公報（段落００３４−００６４、図２−６）
【発明の開示】
【発明が解決しようとする課題】
【０００４】
しかしながら、特許文献１に記載された従来の光ディスク装置では、２つの対物レンズが光ディスクの半径方向に並ぶようにレンズホルダに搭載されているため、内周側に配置された対物レンズと、光ディスクを保持するターンテーブルとの隙間を十分に確保することが困難である。そのため、特に、２つの対物レンズのうち、光ディスクの外周側に配置された対物レンズを用いて、光ディスクの最内周位置の情報の読み出しや書き込みを行うことが難しい。また、部品寸法のばらつき等によっては、レンズホルダが光ディスクの内周側に移動した際に、ターンテーブルと対物レンズ又はレンズホルダが衝突し、光ディスク装置の特性の劣化や損傷を招く可能性がある。
【０００５】
本発明は、上記の問題点を解決するためになされたものであり、その目的は、複数の対物レンズを搭載した光ヘッド及び光ディスク装置において、周辺部材との衝突を防止することで特性の劣化や損傷を抑制し、これにより信頼性及び組み立て性を向上し、また光ディスクの最内周位置の情報の読み出し等を容易にすることにある。
【課題を解決するための手段】
【０００６】
本発明に係る光ディスク装置は、光ディスク上に光束を集光する複数の対物レンズと、対物レンズを保持するホルダと、ホルダを、光ディスクの略半径方向であるトラッキング方向、及び、光ディスクの面に略垂直なフォーカシング方向に駆動する駆動手段とを有する光ヘッドと、光ディスクを保持して回転させるターンテーブルとを備えて構成される。ホルダにおいて、ターンテーブルの外周端面と対向する位置に、対物レンズの外周端面よりターンテーブル側に突出した緩衝手段が配置されている。
【発明の効果】
【０００７】
本発明によれば、ホルダに設けた緩衝手段により、対物レンズ及びホルダとターンテーブルとの衝突を防止できるため、光ヘッド及び光ディスク装置の特性劣化や損傷を抑制することができ、信頼性が向上する。また、組み立て作業中の対物レンズ及びホルダとターンテーブルとの衝突も防止できるため、組み立て性も向上する。さらに、ホルダをターンテーブルに接近させ、光ディスクの最内周位置の情報の読み出しや書き込みを容易に行うことができる。
【発明を実施するための最良の形態】
【０００８】
実施の形態１．
図１は、本発明の実施の形態１における光ディスク装置の主要部を示す斜視図である。図２及び図３は、実施の形態１における光ディスク装置における光ヘッドの対物レンズアクチュエータを示す斜視図及び分解斜視図である。
【０００９】
図１に示すように、光ディスク装置は、光ディスク１０１を載置するターンテーブル１０２と、このターンテーブル１０２を回転させるスピンドルモータ１０３と、光学ベース１０４とを有している。光学ベース１０４には、２つの対物レンズ１１０，１１１を駆動する対物レンズアクチュエータ１０５と、半導体レーザ等の複数の光源（図示せず）とが搭載されている。光学ベース１０４は、平行な一対の送り軸１０６ａ，１０６ｂにより、光ディスク１０１の半径方向に移動可能に支持されており、図示しない機構により光ディスク１０１の半径方向に移動可能に移動する。また、光学ベース１０４上の対物レンズアクチュエータ１０５は、開口部１０７ａを有する保護カバー１０７により覆われている。光学ベース１０４に搭載された各構成部品により、光ヘッドが構成されている。
【００１０】
図１において、光ディスク１０１の面に直交する方向（すなわちスピンドルモータ１０３の回転軸の方向）を、Ｚ軸方向とする。また、光ディスク１０１の半径方向を、Ｘ軸方向とする。また、Ｘ軸方向及びＺ軸方向の両方に直交する方向を、Ｙ軸方向とする。他の図においても、Ｘ軸方向、Ｙ軸方向及びＺ軸方向は、図１において定義した方向を示すものとする。
【００１１】
なお、説明の便宜上、Ｚ軸方向において対物レンズ１１０，１１１から光ディスク１０１に向かう方向を上方とし、反対方向を下方とする。また、Ｘ軸方向を左右方向とし、Ｙ軸方向を前後方向とする。これらの方向は、あくまでも説明の便宜のために用いるものであり、使用時の光ディスク装置の向きを限定するものではない。
【００１２】
図２に示すように、対物レンズアクチュエータ１０５は、対物レンズ１１０，１１１を保持するレンズホルダ（ホルダ）１１２を有している。対物レンズ１１０，１１１は、光学ベース１０４（図１）に搭載された図示しない半導体レーザ等の光源から出射された光束１０８，１０９を、それぞれ光ディスク１０１に集光させるものである。光束１０８は、例えば、青色半導体レーザから出射される波長が４０５ｎｍ付近の光束である。光束１０９は、例えば、２波長半導体レーザから出射される波長が６６０ｎｍ付近の赤色光束、及び、波長が７８０ｎｍ付近の赤外光束である。
【００１３】
対物レンズ１１０は、例えば、ＢＤ（Ｂｌｕ−Ｒａｙ  Ｄｉｓｃ）用の対物レンズである。対物レンズ１１１は、例えば、ＣＤ（Ｃｏｍｐａｃｔ  Ｄｉｓｃ）及びＤＶＤ（Ｄｉｇｉｔａｌ  Ｖｅｒｓａｔｉｌｅ  Ｄｉｓｃ）互換の２焦点対物レンズである。これら対物レンズ１１０，１１１は、外径、焦点距離、動作距離（ワーキング・ディスタンス）等の仕様が互いに異なっている。
【００１４】
レンズホルダ１１２は、液晶ポリマー等の軽量且つ高剛性のプラスチックにより形成されている。レンズホルダ１１２は、Ｚ軸方向に垂直な２面（ここでは上面と下面）、Ｘ軸方向に垂直な２側面（ここでは左右の側面）、及び、Ｙ軸方向に垂直な２側面（ここでは前後面）を有して略直方体に形成されている。レンズホルダ１１２には、対物レンズ１１０，１１１が、それぞれの光軸がＺ軸方向と平行で、それぞれの光軸の中心を結ぶ線分がＸ軸方向（光ディスク１０１の半径方向）と一致するように固定されている。さらに、対物レンズ１１０，１１１は、レンズホルダ１１２の光ディスク１０１に対向する上面よりも光ディスク１０１側（ここでは上側）に突出し、なお且つ、それぞれのＺ軸方向の高さが互いに異なるように固定されている。
【００１５】
本実施の形態では、対物レンズ１１０，１１１のうち、より移動距離の短いＢＤ用の対物レンズ１１０を、光ディスク１０１との距離が近くなるように（すなわちより上側に）配置している。また、ＢＤは、ＣＤ及びＤＶＤと比べ、より光ディスク１０１の内周側の情報の読み出し及び書き込みを行う仕様であることから、光ディスク１０１の内周側の情報の読み出し及び書き込みを容易にするため、ＢＤ用の対物レンズ１１０を、ＣＤ／ＤＶＤ用の対物レンズ１１１よりも光ディスク１０１の内周側に配置している。
【００１６】
ここで、レンズホルダ１１２は、その上側（光ディスク１０１に対向する側）部分に、対物レンズ１１０，１１１をそれぞれ保持するレンズ枠部１１２Ａ，１１２Ｂを有している。レンズ枠部１１２ＡのＸ軸方向の両端面のうち、ターンテーブル１０２と対向する側面１１２ａは、Ｘ軸方向における位置が、対物レンズ１１０の外周端面とほぼ同じ位置となるように形成されている。また、この側面１１２ａには切欠部１１２ｂが形成されており、この切欠部１１２ｂから、対物レンズ１１０の外周端面の一部が露出するように構成されている。
【００１７】
レンズホルダ１１２のレンズ枠部１１２Ａには、円柱状の一対のプロテクタ（緩衝手段、緩衝部材）１１３ａ，１１３ｂが取り付けられている。プロテクタ１１３ａ，１１３ｂは、ポリアセタール樹脂（ＰＯＭ）等、耐磨耗性・潤滑性に優れ、なお且つターンテーブル１０２や光ディスク１０１より低硬度の樹脂で成形されている。
【００１８】
プロテクタ１１３ａ，１１３ｂは、対物レンズ１１０，１１１のうち動作距離の短い対物レンズ１１０の上面よりわずかに上方（光ディスク１０１側）に突出するように、レンズ枠１１２Ａ（すなわち対物レンズ１１０の近傍）に接着により固定されている。プロテクタ１１３ａは、対物レンズ１１０の中心とターンテーブル１０２（図１）の中心とを結ぶ直線からずれた位置に配置され、なお且つ、レンズ枠１１２Ａの側面１１２ａからターンテーブル１０２側に突出している。また、プロテクタ１１３ａは、その円柱面が、レンズホルダ１１２のＺ軸方向の位置に関わらずターンテーブル１０２の外周端面（側面）と対向するようなＺ軸方向の長さを有している。
【００１９】
プロテクタ１１３ｂは、対物レンズ枠１１２Ａにおいて、例えば対物レンズ１１０の光軸を中心としてプロテクタ１１３ａと対称な位置に配置されている。なお、プロテクタ１１３ｂは、他の個所に設けられていてもよい。また、プロテクタ１１３ｂを設けず、プロテクタ１１３ａのみを設けた構成も可能である。
【００２０】
図３に示すように、レンズホルダ１１２のＹ軸方向における一方の側壁の中央には、矩形の穴部１１２ｃが形成されている。この穴部１１２ｃの内側には、巻き軸方向がＺ軸方向と一致するように連続的に巻かれた２つのフォーカシングコイル（駆動手段）１１４ａ，１１４ｂと、巻き軸方向がＺ軸方向と一致するように巻かれたチルトコイル１１６とが挿入され、固定されている。さらに、レンズホルダ１１２のＹ軸方向における両側壁には、巻き軸方向がＹ軸方向と一致するように連続的に巻かれた２つのトラッキングコイル（駆動手段）１１５ａ，１１５ｂが接着により固定されている。
【００２１】
レンズホルダ１１２のＸ軸方向における両側壁には、一対の可動部側基板１１７ａ，１１７ｂが固定されている。なお、図３には、手前側の可動部側基板１１７ａのみ図示されている。これら一対の可動部側基板１１７ａ，１１７ｂには、フォーカシングコイル１１４ａ，１１４ｂ、トラッキングコイル１１５ａ，１１５ｂ及びチルトコイル１１６の各端線が半田付けされている。レンズホルダ１１２の上面には対物レンズ１１０，１１１に対応するように開口が形成されており、さらに、レンズホルダ１１２の下面は開放されており、上述した光学ベース１０４側から出射された光束１０８，１０９（図２）が、フォーカシングコイル１１４ａ，１１４ｂの巻き線の内側（中空部分）を通過して対物レンズ１１０，１１１に入射するようになっている。
【００２２】
また、レンズホルダ１１２のＸ軸方向における両側壁には、レンズホルダ１１２がＸ軸方向に移動したときに、後述するマグネット１２０ａの両側面に当接してレンズホルダ１１２の可動範囲を規制する爪部１１２ｄ，１１２ｅが突出形成されている。
【００２３】
レンズホルダ１１２、対物レンズ１１０，１１１、フォーカシングコイル１１４ａ，１１４ｂ、トラッキングコイル１１５ａ，１１５ｂ、チルトコイル１１６、可動部側基板１１７ａ，１１７ｂ及びプロテクタ１１３ａ，１１３ｂにより、可動部ユニット１１８が構成されている。
【００２４】
対物レンズアクチュエータ１０５は、冷間圧延鋼板等の磁性材をプレス加工することにより形成されたベースヨーク１１９を有している。ベースヨーク１１９は、その底面がＸＹ面と平行になるように配置された板状部材である。ベースヨーク１１９は、また、Ｚ軸方向に立設されてＹ軸方向に相対する一対のインナーヨーク１１９ａ，１１９ｂを有しており、各インナーヨーク１１９ａ，１１９ｂは幅方向（Ｘ軸方向）中心にスリットを有している。
【００２５】
インナーヨーク１１９ａ，１１９ｂには、マグネット１２０ａ，１２０ｂがそれぞれ固定されている。マグネット１２０ａ，１２０ｂは、Ｙ軸方向に着磁されているが、それぞれのＸ軸方向中心を挟んで着磁方向が逆向きになるように多極着磁されている。マグネット１２０ａ，１２０ｂは、また、インナーヨーク１１９ａ，１１９ｂを挟んで、同極同士が対向するように固定されている。マグネット１２０ａ，１２０ｂ及びベースヨーク１１９（インナーヨーク１１９ａ，１１９ｂ）により、磁気回路が構成されている。ベースヨーク１１９には、例えば略直方体形状のゲルホルダ１２２が接着固定されている。ゲルホルダ１２２のＸ軸方向の両側面には、固定部側基板１２１ａ，１２１ｂがそれぞれ固定されている。なお、図３には、手前側の固定部側基板１２１ａのみが図示されている。
【００２６】
ベースヨーク１１９、マグネット１２０ａ，１２０ｂ、ゲルホルダ１２２及び固定部側基板１２１ａ，１２１ｂにより、固定部ユニット１２３が構成されている。
【００２７】
レンズホルダ１１２の両側壁に固定された一対の可動部側基板１１７ａ，１１７ｂには、各基板に３本ずつ、合計６本のワイヤ１２４ａ〜１２４ｆが互いに平行に取り付けられている。ワイヤ１２４ａ〜１２４ｆは、導電性を有する弾性体であり、それぞれの一端が可動部側基板１１７ａ，１１７ｂに半田付けにより固定されている。また、ワイヤ１２４ａ〜１２４ｆのそれぞれの他端は、ゲルホルダ１２２の両側面に固定された固定部側基板１２１ａ，１２１ｂに半田付けにより固定されている。ワイヤ１２４ａ〜１２４ｆは、任意の２本ずつの組み合わせにより、フォーカシングコイル１１４ａ，１１４ｂ、トラッキングコイル１１５ａ，１１５ｂ及びチルトコイル１１６に電気的に接続されている。
【００２８】
ゲルホルダ１２２のＸ軸方向両側（固定部側基板１２１ａ，１２１ｂ側）には、それぞれ３つの溝部がＺ軸方向に並んで形成されており、各溝部には、ワイヤ１２４ａ〜１２４ｆの根元付近を包むように紫外線硬化型のゲル状のダンパ１２５ａ，１２５ｂが充填されている。
【００２９】
このような構成により、可動部ユニット１１８は、ワイヤ１２４ａ〜１２４ｆを介して、固定部ユニット１２３により、Ｚ軸方向（フォーカシング方向）、Ｘ軸方向（トラッキング方向）及びＹ軸回転方向（チルト方向）に移動可能に弾性支持されている。
【００３０】
なお、フォーカシングコイル１１４ａ，１１４ｂの巻き線の内側部分（Ｚ軸方向の穴）、及び、チルトコイル１１６の巻き線の内側部分（Ｚ軸方向の穴）には、上述したインナーヨーク１１９ａ，１１９ｂが挿入されている。この状態で、トラッキングコイル１１５ａ，１１５ｂは、マグネット１２０ａ，１２０ｂと対向している。
【００３１】
以上のように構成された対物レンズアクチュエータ１０５の動作について説明する。まず、光スポットのフォーカスずれを制御する場合は、固定部側基板１２１ａ，１２１ｂの所定の端子（図示せず）にフォーカス制御電圧を印加することにより、ワイヤ１２４ａ〜１２４ｆのうちの所定の２本を介して、直列接続されているフォーカシングコイル１１４ａ，１１４ｂに互いに逆周りに電流を流す。この電流と、マグネット１２０ａ，１２０ｂにより発生した磁界との相互作用により、フォーカシングコイル１１４ａ，１１４ｂには互いに同じ向きのＺ軸方向の電磁力が作用し、可動部ユニット１１８がＺ軸方向に移動する。その結果、対物レンズが光ディスク１０１の面に垂直に移動し、光スポットのフォーカスずれの制御が行われる。
【００３２】
光スポットのトラックずれを制御する場合は、固定部側基板１２１ａ，１２１ｂの所定の端子（図示せず）にトラック制御電圧を印加することにより、ワイヤ１２４ａ〜１２４ｆのうちの所定の２本を介して、直列接続されているトラッキングコイル１１５ａ，１１５ｂに電流を流す。この電流と、マグネット１２０ａ，１２０ｂにより発生した磁界との相互作用により、トラッキングコイル１１５ａ，１１５ｂには互いに同じ向きのＸ軸方向の電磁力が作用し、可動部ユニット１１８がＸ軸方向に移動する。その結果、対物レンズが光ディスク１０１の半径方向（Ｘ軸方向）に移動し、光スポットのトラッキングずれの制御が行われる。
【００３３】
光スポットのラジアルチルトずれを制御する場合は、固定部側基板１２１ａ，１２１ｂの所定の端子（図示せず）にチルト制御電圧を印加することにより、ワイヤ１２４ａ〜１２４ｆのうちの所定の２本を介してチルトコイル１１６に電流を流す。この電流と、マグネット１２０ａ，１２０ｂにより発生した磁界との相互作用により、チルトコイル１１６にＸ軸を中心とした回転方向のモーメントが生じ、可動部ユニット１１８がＹ軸を中心として回動し、その結果、対物レンズがＹ軸を中心として回動する。これにより、光ディスク１０１が半径方向（Ｘ軸方向）に傾いていた場合であっても、光ディスク１０１の面に対して対物レンズの光軸が常に垂直となるように、光スポットのラジアルチルト制御が行われる。
【００３４】
可動部ユニット１１８は、６本のワイヤ１２４ａ〜１２４ｆによりＺ軸方向、Ｘ軸方向及びＹ軸回転方向に移動可能に弾性支持されている。そのため、上述した各動作において、可動部ユニット１１８は、フォーカシングコイル１１４ａ，１１４ｂへの通電を解除したときには、Ｚ軸方向における動作基準位置に復帰し、トラッキングコイル１１５ａ，１１５ｂへの通電を解除したときには、Ｘ軸方向における動作基準位置に復帰する。また、チルトコイル１１６への通電を解除したときには、Ｙ軸回転方向における動作基準位置に復帰する。
【００３５】
また、６本のワイヤ１２４ａ〜１２４ｆの根元付近が、ゲルホルダ１２２の溝部に充填されたゲル状のダンパ１２５ａ，１２５ｂにより周囲を囲まれた状態で保持されているため、可動部ユニット１１８には振動減衰特性が付与されている。その結果、良好なフォーカス制御特性、トラック制御特性、及びラジアルチルト制御特性が得られると共に、外部からの不要な振動が可動部ユニット１１８に伝達されにくくなっている。また、可動部ユニット１１８がトラッキング制御方向に移動したときは、レンズホルダ１１２の爪部１１２ｄ，１１２ｅの何れかがマグネット１２０ａの側面に当接するため、可動部ユニット１１８のトラッキング方向の可動範囲が規制される。
【００３６】
次に、プロテクタによる、レンズホルダ１１２とターンテーブル１０２との衝突防止作用について説明する。図４及び図５は、光ヘッドが光ディスク１０１の記録領域の最内周位置にある状態を示す平面図及びその正面図である。図６及び図７は、図４及び図５に示した状態から、可動部ユニット１１８が更に光ディスク１０１の内周側に移動した状態を示す平面図及び正面図である。
【００３７】
図４及び図５に示した状態では、送り軸１０６ａ，１０６ｂに沿って光ディスク１０１の半径方向に移動する光ヘッドが、光ディスク１０１の記録領域の最内周位置に位置している。この状態で、対物レンズ１１０，１１１のうち、光ディスク１０１の外周側に配置されたＣＤ／ＤＶＤ互換の対物レンズ１１１により、光ディスク１０１の記録領域の最内周位置のデータの読み出し又は書き込みが行われる。また、光ディスク１０１の内周側に配置されたＢＤ用の対物レンズ１１０は、ターンテーブル１０２の外周端面に接近した位置にある。
【００３８】
なお、レンズホルダ１１２のターンテーブル１０２側の側壁には、上述したように可動部側基板１１７ａ及びワイヤ１２４ａ〜１２４ｃが設けられているが、これら可動部側基板１１７ａ及びワイヤ１２４ａ〜１２４ｃはターンテーブル１０２より外径の小さいスピンドルモータ１０３に対向しているため（図５）、この部分の隙間は、対物レンズ１１０とターンテーブル１０２の外周端面との隙間よりも広い。
【００３９】
プロテクタ１１３ａは、対物レンズ１１０の光軸とターンテーブル１０２の中心とを結ぶ直線からずれた位置において、対物レンズ１１０の外周端面からターンテーブル１０２側に突出するようにレンズホルダ１１２に固定されている。すなわち、プロテクタ１１３ａの外周面（円柱面）は、可動部ユニット１１８のうち、ターンテーブル１０２の外周端面に最も近い位置にある。
【００４０】
図６及び図７に示した状態では、光ヘッドに搭載された可動部ユニット１１８が、トラッキング方向において更に光ディスク１０１の内周側（−Ｘ方向）に変位している。この状態は、トラッキング制御の異常等によりトラッキングコイル１１５ａ，１１５ｂに通常よりも高い電圧が印加された場合や、Ｘ軸方向に外部から大きな振動や衝撃が加わった場合に起こり得る。ここでは、対物レンズ１１０，１１１のうち、少なくともターンテーブル１０２に近い側の対物レンズ１１０の光軸中心が、可動部ユニット１１８のトラッキング方向の移動に伴って光ディスク１０１の半径方向に移動するものとする。
【００４１】
このとき、プロテクタ１１３ａがターンテーブル１０２の外周端面に接触するため、対物レンズ１１０やレンズホルダ１１２とターンテーブル１０２との衝突を防止することができる。さらに、プロテクタ１１３ａは、耐磨耗性及び潤滑性に優れた材料で形成されているため、ターンテーブル１０２と接触した際に磨耗粉等を発生することがなく、摩耗粉等による対物レンズアクチュエータ１０５の損傷や特性劣化を防止することができる。さらに、プロテクタ１１３ａは、ターンテーブル１０２より低硬度の材料でできているため、ターンテーブル１０２の損傷も防止することができる。
【００４２】
なお、図４〜図７に示した場合以外にも、光学ベース１０４を送り軸１０６ａ，１０６ｂに取り付け、スピンドルモータ１０３及びターンテーブル１０２等からなる機構部分に組み込む工程や、その後の調整工程において、可動部ユニット１１８とターンテーブル１０２とが衝突する可能性がある。しかしながら、このような場合でも、レンズホルダ１１２に設けたプロテクタ１１３ａがターンテーブル１０２に接触するため、対物レンズアクチュエータ１０５の損傷や特性劣化を防止することができる。従って、光ディスク装置の組み立てを、より簡単に、なお且つ確実に行うことができる。
【００４３】
図８（ａ）及び（ｂ）は、プロテクタの位置による作用効果の違いを説明するための模式図である。図８（ａ）において、符号Ｇ１は、プロテクタ１１３ａが設けられていない場合の対物レンズ１１０とターンテーブル１０２との隙間を示している。符号Ｇ２は、本実施の形態におけるプロテクタ１１３ａと、ターンテーブル１０２との隙間を示している。図８（ｂ）において、符号Ｇ３は、対物レンズ１１０の光軸とターンテーブル１０２の中心とを結ぶ直線上にプロテクタ１１３ａを配置した場合の、プロテクタ１１３ａとターンテーブル１０２との隙間を示している。
【００４４】
図８（ｂ）に示すように、プロテクタ１１３ａを対物レンズ１１０の光軸とターンテーブル１０２の中心とを結ぶ直線上に配置すると、プロテクタ１１３ａとターンテーブル１０２との隙間が小さくなって接触の頻度が高くなり、あるいは十分な隙間が確保できないという問題がある。これに対し、図８（ａ）に示すように、プロテクタ１１３ａを、対物レンズ１１０の光軸とターンテーブル１０２の中心とを結ぶ直線からずれた位置に配置することにより、接触の頻度を低く抑えることができる。加えて、可動部ユニット１１８が光ディスク１０１の最内周位置よりも内周側（−Ｘ方向）に変位していない状態では、プロテクタ１１３ａとターンテーブル１０２との十分な隙間を確保することができる。
【００４５】
次に、プロテクタによる、対物レンズと光ディスクとの衝突防止作用について説明する。図９は、図４の状態から、可動部ユニット１１８が光ディスク１０１側に変位した状態を示す正面図である。この状態は、フォーカスの引き込みに失敗した場合や、フォーカス制御の異常等によりフォーカシングコイル１１５ａ，１１５ｂに通常より高い電圧が印加された場合、及び、Ｚ軸方向に外部から大きな振動や衝撃が加わった場合に起こり得る。
【００４６】
プロテクタ１１３ａ，１１３ｂは、図１に示した保護カバー１０７の開口部１０７ａを介して、対物レンズ１１０，１１１の上面（光ディスク１０１に対向する面）より僅かに上方に突出するように配置されている。すなわち、可動部ユニット１１８のうち、プロテクタ１１３ａ，１１３ｂの上面が、光ディスク１０１に最も近い位置にある。そのため、図９に示したように可動部ユニット１１８が光ディスク１０１側に移動すると、プロテクタ１１３ａ，１１３ｂが光ディスク１０１に接触し、対物レンズ１１０やレンズホルダ１１２と光ディスク１０１との衝突を防止する。プロテクタ１１３ａ，１１３ｂは、耐磨耗性及び潤滑性に優れており、なお且つ、光ディスク１０１より低硬度の材料でできているため、磨耗粉等による対物レンズアクチュエータ１０５の損傷や特性劣化を防止でき、また光ディスク１０１の損傷を防止することができる。
【００４７】
なお、以上説明した実施の形態１では、プロテクタ１１３ａ，１１３ｂをレンズホルダ１１２とは別個に成形し、接着により固定したが、プロテクタ１１３ａ，１１３ｂをアウトサート成型してもよく、又は、異なる材料を同時に成型する２色成型を用いて一体成型してもよい。
【００４８】
また、プロテクタ１１３ａ，１１３ｂは、塗布時には流動性を有するが硬化後はゴム状の弾性並びに耐磨耗性及び潤滑性を有する常温硬化型のシリコンゴム系の樹脂（ＲＴＶゴム）、又は、紫外線硬化型のシリコンゴム系の樹脂で構成しても良い。
【００４９】
図１０は、プロテクタを流動性のあるシリコンゴム系の樹脂で構成する場合の可動部ユニット１１８を示す斜視図である。図１１は、シリコンゴム系の樹脂が硬化した後の可動部ユニット１１８を示す斜視図である。図１０に示すように、レンズホルダ１１２のターンテーブル１０２側の側面１１２ａには、樹脂を塗布した後に樹脂が流れ出さず均一な形状を保てるように、Ｘ軸方向に開放された塗布用の溝１１２ｆが形成されている。この溝１１２ｆに流し込んだ樹脂が硬化することで、図１１に示すようにプロテクタ１１３ａ，１１３ｂが形成される。プロテクタ１１３ａは、Ｘ軸方向において、対物レンズ１１０の外周端面よりもターンテーブル１０２側に突出し、プロテクタ１１３ａ，１１３ｂの上面は対物レンズ１１０，１１１の上面よりも光ディスク１０１側に突出している。
【００５０】
以上説明したように、本実施の形態では、ターンテーブル１０２の外周端面と対向する位置に、対物レンズ１１０の外周端面よりターンテーブル１１２側に突出したプロテクタ１１３ａを設けたことにより、対物レンズ１１０やレンズホルダ１１２とターンテーブル１０２との衝突を防止することができる。その結果、光ディスク１０１のより内周位置の情報の読み取り／書き込みが可能で、なお且つ信頼性の高い光ディスク装置が得られる。
【００５１】
また、可動部ユニット１１８が光ディスク１０１の記録領域の最内周位置から更に内周方向に移動した場合には、プロテクタ１１３ａがターンテーブル１０２の外周端面に接触するため、トラッキング制御の異常等があっても対物レンズアクチュエータ１０５の損傷や特性劣化を防止できる信頼性の高い光ディスク装置が得られる。
【００５２】
さらに、光ディスク装置の組み立て工程においても、対物レンズ１１０やレンズホルダ１１２とターンテーブル１０２とが衝突する恐れがないため、光ディスク装置の組み立て作業をより簡単に、なお且つ確実に行うことができる。
【００５３】
加えて、プロテクタ１１３ａを、対物レンズ１１０の中心とターンテーブル１０２の中心とを結ぶ直線からずれた位置に配置したことにより、プロテクタ１１３ａとターンテーブル１０２の隙間を確保することが可能である。
【００５４】
また、プロテクタ１１３ａ，１１３ｂをレンズホルダ１１２と一体に成形すれば、組み立て工程をさらに簡単にすることができ、加えて、プロテクタ１１３ａ，１１３ｂのレンズホルダ１１２に対する位置精度を高めることができる。
【００５５】
さらに、プロテクタ１１３ａ，１１３ｂが対物レンズ１１０，１１１の上面よりも光ディスク１０１側に突出している構成により、対物レンズ１１０，１１１と光ディスク１０１との衝突を防止し、これにより、光ディスク１０１の損傷、並びに対物レンズアクチュエータ１０５の損傷及び特性劣化を防止できる信頼性の高い光ディスク装置が得られる。また、プロテクタ１１３ａに加えてプロテクタ１１３ｂを設けたことにより、光ディスク１０１との接触時の衝撃を分散することができる。
【００５６】
加えて、レンズホルダ１１２の側面に溝１１２ｆを形成し、シリコンゴム系の樹脂を塗布して効果させることにより、プロテクタ１１３ａ，１１３ｂを形成することにより、弾性に優れた均一な形状のプロテクタ１１３ａ，１１３ｂを簡単な方法で得ることができる。
【００５７】
実施の形態２．
図１２及び図１３は、本発明の実施の形態２に係る光ディスク装置の可動部ユニットを示す分解斜視図及び斜視図である。図１２及び図１３において、実施の形態１の構成要素と同一の又は対応する構成要素には、同一の符号を付す。
【００５８】
図１２及び図１３に示すように、実施の形態２における可動部ユニットは、対物レンズ１１０，１１１のうち、動作距離が短く光ディスク１０１の内周側に配置された対物レンズ１１０の周囲に、４つの突起部１１３ａ，１１３ｂ，１１３ｃ，１１３ｄを有するプロテクタ１１３を有している。このプロテクタ１１３は、略矩形状の枠部の４隅に円柱状の突起部１１３ａ〜１１３ｄを形成し、当該枠部の中央に対物レンズ１１０を取り付ける取り付け穴１１３ｅを形成したものである。また、プロテクタ１１３の下側（光ディスク１０１側とは反対の側）には、取り付け穴１１３ｅに取り付けた対物レンズ１１０の主点近傍を中心とする球面を有する球面部１１３ｆが設けられている。また、このプロテクタ１１３は、ポリアセタール樹脂（ＰＯＭ）等、耐磨耗性及び潤滑性に優れ、ターンテーブル１０２や光ディスク１０１より低硬度の樹脂で形成されている。
【００５９】
レンズホルダ１１２のレンズ枠部１１２Ａには、プロテクタ１１３の球面部１１３ｆと接する円錐面１１２ｆが形成されている。この円錐面１１２ｆに、対物レンズ１１０が取り付けられたプロテクタ１１３が、対物レンズ１１０の主点付近を中心として傾き調整可能に載置され、固定される。
【００６０】
プロテクタ１１３の突起部１１３ａ〜１１３ｄのうち、突起部１１３ａ，１１３ｃはターンテーブル１０２の外周端面に対向するように配置されており、対物レンズ１１０のターンテーブル１０２側の外周端面よりも更にターンテーブル１０２側に突出した位置に配置されている。また、突起部１１３ａ，１１３ｃは、いずれも、対物レンズ１１０の中心とターンテーブル１０２の中心とを結ぶ直線からずれた位置に配置されている。他の突起部１１３ｂ，１１３ｄは、突起部１１３ａ，１１３ｃとは反対の方向に、対物レンズ１１０の外周端面よりも突出した位置に配置されている。これら突起部１１３ａ〜１１３ｄは、また、対物レンズ１１０，１１１の上面よりもさらに上方（光ディスク１０１側）に突出している。
【００６１】
次に、可動部ユニット１１８の組み立てについて説明する。ここでは、既に、レンズホルダ１１２には、フォーカシングコイル１１４ａ，１１４ｂ、トラッキングコイル１１５ａ，１１５ｂ、チルトコイル１１６及び可動部側基板１１７ａ，１１７ｂが接着により固定されているものとする。まず、対物レンズ１１１を、光軸調整を行わずに、レンズホルダ１１２のレンズ枠部１１２Ｂに接着により固定する。次に、対物レンズ１１０が固定されたプロテクタ１１３を、レンズホルダ１１２の円錐面１１２ｆに載置する。次いで、図示しないオートコリメータ等の傾き計測手段を用い、対物レンズ１１１のコバ面（光軸と垂直な面）と、対物レンズ１１０のコバ面との傾きを測定し、傾きが一致するようにプロテクタ１１３を円錐面１１２ｆに沿って調整したのち、プロテクタ１１３を接着によりレンズホルダ１１２に固定する。このように、対物レンズ１１０，１１１は、両光軸が平行になるようにレンズホルダ１１２に固定され、可動部ユニット１１８が組み立てられる。他の構成及び動作は、実施の形態１と同様である。
【００６２】
可動部ユニット１１８が、光ディスク１０１の記録領域の最内周位置から更に内周側（−Ｘ方向）に変位した場合は、プロテクタ１１３の突起部１１３ａ，１１３ｃがターンテーブル１０２の外周端面に接触するため、対物レンズ１１０やレンズホルダ１１２とターンテーブル１０２との衝突を防止することができる。また、プロテクタ１１３は、耐磨耗性及び潤滑性に優れており、ターンテーブル１０２よりも低硬度の材料で形成されているため、プロテクタ１０３とターンテーブル１０２との接触に伴ってターンテーブル１０２及び対物レンズアクチュエータ１０５の損傷や特性劣化を生じることはない。
【００６３】
また、可動部ユニット１１８が光ディスク１０１側（＋Ｚ方向）に変位した場合は、プロテクタ１１３の突起部１１３ａ，１１３ｂ，１１３ｃ，１１３ｄの上面が光ディスク１０１に接触するため、対物レンズ１１０やレンズホルダ１１２と光ディスク１０１との衝突を防止することができる。また、プロテクタ１１３は、耐磨耗性及び潤滑性に優れており、光ディスク１０１よりも低硬度の材料で形成されているため、プロテクタ１０３と光ディスク１０１との接触に伴う光ディスク１０１の損傷、並びに対物レンズアクチュエータ１０５の損傷及び特性劣化を生じることはない。加えて、突起部１１３ａ〜１１３ｄの４箇所で光ディスク１０１に接触するため、接触時の衝撃を分散することができる。
【００６４】
また、プロテクタ１１３を、対物レンズ１１０の主点付近を中心とする球面を有する樹脂成型品で構成し、このプロテクタ１１３を介して対物レンズ１１０をレンズホルダ１１２に取り付けるよう構成したため、対物レンズアクチュエータの組み立て工程において、対物レンズ１１０，１１１の光軸を簡単な方法で一致させることができる。すなわち、組み立て性を向上しつつ、対物レンズ１１０，１１１やレンズホルダ１１２がターンテーブル１０２や光ディスク１０１と衝突することがない信頼性の高い光ディスク装置を得ることができる。
【００６５】
なお、上述した実施の形態１では２つのプロテクタ１１３ａ，１１３ｂを用いており、実施の形態２ではプロテクタが４つの突起部１１３ａ〜１１３ｄを有しているが、プロテクタ（突起部）の数は幾つであってもよい。
【００６６】
また、上述した実施の形態１及び２では、ワイヤを用いてレンズホルダ１１２を弾性支持する構成の光ディスク装置について説明したが、本発明は、例えば支軸を中心としてレンズホルダを回動可能に支持する構成の光ディスク装置に適用してもよい。
【産業上の利用可能性】
【００６７】
本発明の活用例として、ＢＤプレーヤ、ＢＤレコーダ及びＨＤ−ＤＶＤプレーヤ、ＨＤ−ＤＶＤレコーダ等の光ディスク装置に適用することができる。
【図面の簡単な説明】
【００６８】
【図１】本発明の実施の形態１における光ディスク装置の主要部を示す斜視図である。
【図２】実施の形態１における光ディスク装置における光ヘッドの対物レンズアクチュエータを示す斜視図である。
【図３】実施の形態１における光ディスク装置における光ヘッドの対物レンズアクチュエータを示す分解斜視図である。
【図４】光ヘッドが光ディスクの最内周位置にある状態を示す平面図である。
【図５】光ヘッドが光ディスクの最内周位置に位置している状態を示す正面図である。
【図６】図４に示した状態から可動部ユニットが更に内周側に移動した状態を示す平面図である。
【図７】図５に示した状態から可動部ユニットが更に内周側に移動した状態を示す正面図である。
【図８】プロテクタの位置による作用効果の違いを説明するための模式図である。
【図９】図４に示した状態から可動部ユニットが光ディスク側に変位した状態を示す正面図である。
【図１０】プロテクタを流動性のあるシリコンゴム系の樹脂で構成する場合の可動部ユニットを示す斜視図である。
【図１１】図１０に示したシリコンゴム系の樹脂が硬化した後の可動部ユニットを示す斜視図である。
【図１２】本発明の実施の形態２に係る光ディスク装置の可動部ユニットを示す分解斜視図である。
【図１３】本発明の実施の形態２に係る光ディスク装置の可動部ユニットを示す斜視図である。
【符号の説明】
【００６９】
１０１  光ディスク、  １０２  ターンテーブル、  １０３  スピンドルモータ、  １０４  光学ベース、  １０５  対物レンズアクチュエータ、  １０６ａ，１０６ｂ  送り軸、  １０７  保護カバー、  １０８，１０９  光束、  １１０，１１１  対物レンズ、  １１２  レンズホルダ、  １１３  プロテクタ、  １１３ａ〜１１３ｄ  突起部、  １１４ａ，１１４ｂ  フォーカシングコイル、  １１５ａ，１１５ｂ  トラッキングコイル、  １１６  チルトコイル、  １１７ａ，１１７ｂ  可動部側基板、  １１８  可動部ユニット、  １１９  ベースヨーク、  １２０ａ，１２０ｂ  マグネット、  １２１ａ，１２１ｂ  固定部側基板、  １２２  ゲルホルダ、  １２３  固定部ユニット、  １２４ａ〜１２４ｆ  ワイヤ、  １２５ａ，１２５ｂ  ダンパ。
【図１】
2008243251.tif 000003
【図２】
2008243251.tif 000004
【図３】
2008243251.tif 000005
【図４】
2008243251.tif 000006
【図５】
2008243251.tif 000007
【図６】
2008243251.tif 000008
【図７】
2008243251.tif 000009
【図８】
2008243251.tif 000010
【図９】
2008243251.tif 000011
【図１０】
2008243251.tif 000012
【図１１】
2008243251.tif 000013
【図１２】
2008243251.tif 000014
【図１３】
2008243251.tif 000015